(57)【要約】【課題】本発明は既設の２人操作用消火栓１２’を１人操作用易操作性消火栓１２に配管１の圧力水を落すことなく簡便に切換えられる切換装置を得ることを目的とする。【解決手段】既設の配管１に接続する圧力水常閉口２と、既設の消火用ホース３’取付金具４’を接続する放水ノズル５とを有する既設の弁函６よりなる既設消火栓１２をそのまま用い、上記既設放水ノズル５から既設取付金具４及び既設消火用ホース３を分離し、該放水ノズル５に易操作性消火栓１２専用の消火用ホース３取付金具４を上記既設放水ノズル５に接続金具１３を介在させて着脱自在に接続し、かつ上記正逆回動用ハンドル１１を逆回動させて上記圧力水常閉口２を開口する動作を行い、該動作に連動するポンプ駆動モーター閉路用リミットスイッチ１５を閉路させることを特徴とする方法。【選択図】　図１
2004097291.tif 000002
【特許請求の範囲】
【請求項１】
既設の配管に接続する圧力水常閉口と、既設の消火用ホース取付金具を接続する放水ノズルとを有する既設の弁函と、
上記常閉口の弁座を弁で閉塞し、該弁に固定したスピンドルを上記弁函のボス部に螺合して、これを上記弁函の外部に延長し、
延長端部に上記スピンドルの正逆回動用ハンドルを設けてなる既設消火栓をそのまま用い、
上記既設放水ノズルから既設取付金具及び既設消火用ホースを分離し、該放水ノズルに易操作性消火栓専用の消火用ホース取付金具を上記既設放水ノズルに接続金具を介在させて着脱自在に接続し、
かつ上記正逆回動用ハンドルを逆回動させて上記圧力水常閉口を開口する動作を行い、該動作に連動するポンプ駆動モーター閉路用リミットスイッチを閉路させることを特徴とする易操作性消火栓切換法。
【請求項２】
既設の配管に接続する圧力水常閉口と、既設の消火用ホース取付金具を接続する放水ノズルとを有する既設の弁函と、
上記常閉口の弁座を弁で閉塞し、該弁に固定したスピンドルを弁函のボス部に螺合して、これを弁函の外部に延長し、
延長端部に上記スピンドルの正逆回動用ハンドルを設けてなる既設消火栓と、既設取付金具及び既設消火用ホースを分離した上記放水ノズルに易操作性消火栓専用の消火用ホース取付金具を上記既設放水ノズルに接続金具を介在させて着脱自在に接続し、
かつ上記正逆回動用ハンドルを逆回動させて上記圧力水常閉口を開口する動作に連動して閉路するポンプ駆動モーター閉路用リミットスイッチを設けてなる易操作性消火栓切換装置。
【請求項３】
上記放水ノズルの外周に対向凹段による環状溝を形成し、該溝内に摺動自在に短管を嵌合し、該短管の後端にフランジを設け、
上記短管の先端と上記溝の凹段との間に上記接続金具の頭部内周に発条の力で進出し、内面が放水側に内側に向って傾斜した係合金具を係合させた請求項２記載の易操作性消火栓切換装置。
【請求項４】
上記ポンプ駆動モーター閉路用リミットスイッチが既設弁函のボス部に設けられ、上記正逆回動用ハンドルに設けた動作用環状カムが上記ボス部に接近することによって上記リミットスイッチを開路するよう形成した請求項２〜３のいずれかに記載の易操作性消火栓切換装置。
【発明の詳細な説明】
【０００１】
【発明の属する技術分野】
本発明は火災時１人操作の出来る易操作性１号消火栓を、既存の１人操作のできない１号消火栓と取替える技術に関するものである。
【０００２】
【従来の技術】
現存（既設）の１号消火栓（図３（ロ）図）は訓練を受けた人が２人以上で操作しなければ火災時に消火用ホースを繰出して消火する作業ができない。
【０００３】
そのため新築建物では１人操作可能な易操作性１号消火栓が設置されている（例えば特許文献１，２）。しかし既設の建物では建物を使用しながら既設の１号消火栓を上記易操作性１号消火栓に切換える（改修する）ことは困難である。
【０００４】
即ち上記易操作性１号消火栓（特許文献１，２参照）に切換えるためには既設弁函の放水ノズルに特許文献１，２記載の消火ホースを接続することはできないから、既設弁函を配管から取外した状態で上記文献１，２記載の専用弁函を配管に装着しなければならない。
【０００５】
しかしながら既設弁函を取外して上記専用弁函を配管に接続する取替え作業には次の問題がある。
１．建物の消火配管内の水を抜く必要があるため、改修作業中消火設備が機能しない。
２．消火配管の管路調査、水抜き作業、消火栓の取付け後の通水作業、空気抜き作業、接続部の漏水有無確認など、本来の消火栓取替作業の前後の作業が膨大である。
３．消火栓の弁函（図７）は水平配管にネジ込まれて取付けられているため、弁函を回動させると水平配管と共回りし、主体の垂直配管から水平配管が外れる危険性がある。水抜きしてあればその危険性はないが、水平配管を垂直配管に接続することが困難であり、壁を破るなどの必要があり、作業時間と費用が膨大である。
【０００６】
【特許文献１】
特許第２８５４５２３号公報
【特許文献２】
特開平１０−４３３２４号公報
【０００７】
【発明が解決しようとする課題】
本発明は建物の垂直消火配管の上記水平配管の先端に螺着した既設の上記１号消火栓を取外すことなく、これを１人操作可能な易操作性消火栓に安全迅速かつ容易に切換えることを目的とする。
【０００８】
【課題を解決するための手段】
上記の目的を達成するため本発明は
第１に既設の配管に接続する圧力水常閉口と、既設の消火用ホース取付金具を接続する放水ノズルとを有する既設の弁函と、上記常閉口の弁座を弁で閉塞し、該弁に固定したスピンドルを上記弁函のボス部に螺合して、これを上記弁函の外部に延長し、延長端部に上記スピンドルの正逆回動用ハンドルを設けてなる既設消火栓をそのまま用い、上記既設放水ノズルから既設取付金具及び既設消火用ホースを分離し、該放水ノズルに易操作性消火栓専用の消火用ホース取付金具を上記既設放水ノズルに接続金具を介在させて着脱自在に接続し、かつ上記正逆回動用ハンドルを逆回動させて上記圧力水常閉口を開口する動作を行い、該動作に連動するポンプ駆動モーター閉路用リミットスイッチを閉路させることを特徴とする易操作性消火栓切換法、
第２に既設の配管に接続する圧力水常閉口と、既設の消火用ホース取付金具を接続する放水ノズルとを有する既設の弁函と、上記常閉口の弁座を弁で閉塞し、該弁に固定したスピンドルを弁函のボス部に螺合して、これを弁函の外部に延長し、延長端部に上記スピンドルの正逆回動用ハンドルを設けてなる既設消火栓と、既設取付金具及び既設消火用ホースを分離した上記放水ノズルに易操作性消火栓専用の消火用ホース取付金具を上記既設放水ノズルに接続金具を介在させて着脱自在に接続し、かつ上記正逆回動用ハンドルを逆回動させて上記圧力水常閉口を開口する動作に連動して閉路するポンプ駆動モーター閉路用リミットスイッチを設けてなる易操作性消火栓切換装置、
第３に上記放水ノズルの外周に対向凹段による環状溝を形成し、該溝内に摺動自在に短管を嵌合し、該短管の後端にフランジを設け、上記短管の先端と上記溝の凹段との間に上記接続金具の頭部内周に発条の力で進出し、内面が放水側に内側に向って傾斜した係合金具を係合させた上記第２発明記載の易操作性消火栓切換装置、
第４に上記ポンプ駆動モーター閉路用リミットスイッチが既設弁函のボス部に設けられ、上記正逆回動用ハンドルに設けた動作用環状カムが上記ボス部に近接することによって上記リミットスイッチを開路するよう形成した上記第２〜第３発明のいずれかに記載の易操作性消火栓切換装置、
によって構成される。
【０００９】
【発明の実施の形態】
既設高層建築物２１に設けられた従来形の２人操作用１号消火栓（図３（ロ）図）は配管１によって逆止弁２２、ポンプ２３を経て地下水槽２４に接続され、配管１は各階を貫く垂直配管１’に各階毎の廊下等に通じる水平配管１”の基端部を螺合により接続し、かつ上記逆止弁２２に通じる水平連杆１ａ等よりなる。
【００１０】
上記水平配管１”の先端には弁函６の横向（水平方向）圧力水常閉口２を螺合により接続し、該弁函６には下向放水ノズル５が設けられ、該ノズル５の外周には凹段１６，１６’による環状溝１７を形成し、該環状溝１７内に摺動自在に短管１８を嵌合し、該短管１８の後端にはフランジ１８’が設けられる。
【００１１】
このような既設の弁函６をそのまま用い、放水ノズル５（内径４０ｍｍ）に接続された既設の布製消火ホース３’の取付金具４’（内径４０ｍｍ）（図３（ロ）図）を該ノズル５から取外す。
【００１２】
そして上記放水ノズル５の外周には接続金具１３の頭部１３’を着脱自在に嵌合し、該頭部１３’の内周に出没自在に設けた３個の係合金具１９，１９，１９を一方の凹段１６と上記短管１８の先端との間の上記溝１７内に進入嵌合させて該頭部１３’を放水ノズル５の外周に係合させる。
【００１３】
上記係合金具１９は図１、図２に示すように内面を傾斜面１９’とし、外部を頭部１３’の内周溝１３”に摺動自在に嵌合し、発条２５で押出支持して頭部１３’の内周面１３ｂから内側に出没自在に突出支持する。この傾斜面１９’が上記ノズル５の外周によって押されて係合金具１９，１９，１９は内周面１３ｂに発条２５に抗して没入し、上記溝１７内に入って該金具１９，１９，１９は発条２５の力で該溝１７内に進入し凹段１６に引っ掛って係合する。
【００１４】
その後フランジ１８を把持して短管１８を対向凹段１６側に押圧摺動させると、短管１８’の先端が上記傾斜面１９’との相互作用により係合金具１９，１９，１９を外側に押し開き該金具１９，１９，１９とノズル５の外周との係合は解除され、頭部１３’を該ノズル５から引抜いて分離することができる。
【００１５】
接続金具１３は上記頭部１３’と接続部１３ａ（内径３０ｍｍ）とよりなり、接続部１３ａには易操作性専用消火用ホース３の一端に設けた取付金具４（内径３０ｍｍ）を係合（図１）又は螺合（図２）４”等により接続する。従って接続金具１３を既設放水ノズル５（内径４０ｍｍ）と内径の異なる上記取付金具４（内径３０ｍｍ）との間に着脱自在に介在されることができる。
【００１６】
弁函６の上記圧力水常閉口２の弁座７は弁８によって閉塞され、該弁８にはスピンドル９の内端部を固定し、該スピンドル９を弁函６のボス部１０に螺合させ、さらにこれを弁函６の外部に延長９’し、該延長部９’の外端に上記スピンドル９の正逆回動用ハンドル１１が設けられる。
【００１７】
このようにした上記ハンドル１１を逆回動させると、該ハンドル１１はスピンドル９とボス部１０との螺合関係によって図１実線位置から仮想線位置に摺動して弁８を弁座７から分離し、上記常閉口２を開口することができる。
【００１８】
上記ハンドル１１には動作用環状カム２０が設けられ、上記ボス部１０に嵌合支持される環状金具２６には上記ポンプ２３の駆動モーター１４を開閉するｂ接点リミットスイッチ１５を設け、該スイッチ１５の開閉レバー１５’を上記環状カム２０のテーパ面２０’で押圧して該スイッチ１５を開路（ＯＦＦ）するようになっている。
【００１９】
即ち上記リミットスイッチ１５は上記常閉口２を開口する上記ハンドル１１の動作（逆回動）と連動して上記モーター１４の回路を閉路（ＯＮ）するリミットスイッチ１５であり、又は反対に上記常閉口２を閉塞する上記ハンドル１１の動作（正回動）と連動して上記モーター１４の回路を開路（ＯＦＦ）するリミットスイッチ１５である。
【００２０】
上記リミットスイッチ１５は図１に示されるが、上記ハンドル１１の正逆回動動作と連動して上記常閉口２を開閉するが、該リミットスイッチ１５に代り図４（イ）（ロ）（ハ）図及び図５（イ）（ロ）図に示されるように接続金具１３の接続部１３ａに圧力水流入シリンダー２７を設け、該シリンダー２７の矢印ａ方向への正摺動（図５（イ）図）によって動作するｂ接点リミットスイッチ１５を接続部１３ａに固定して設け、
これによって上記ハンドル１１の逆回動により上記常閉口２を開口する動作と連動するポンプ駆動モーター１４閉路用リミットスイッチ１５とすることができる。
【００２１】
従って図３（ロ）図に示す既設の消火栓１２’の布製消火ホース３’の取付金具４’を下向の放水ノズル２から取外し、該放水ノズル２に図１又は図２（イ）（ロ）図に示す接続金具１３の頭部１３’を嵌合及び係合させる。
【００２２】
そして該金具１３の接続部１３ａに、図３（イ）図に示す弾性ゴム又は合成樹脂製の円筒形巻回消火ホース３の取付金具４を着脱自在に嵌合及び係合又は螺合１４”して接続することができる。
【００２３】
上記円筒形巻回消火ホース３は壁に固定した支持枠２８内に巻回して保持され、先端の消火用ノズル２９（ノズルコック２９’は閉状態）は支持枠２８の中心部の窓に露出されていて、該ノズル２９を把持して上記支持枠２８から引出すことができる。
【００２４】
上記ノズル２９を把持して支持枠２８から引出し消火現場に向う際、消防員は上記ハンドル１１を逆回動（図１実線位置から仮想線位置に摺動）させて上記常閉口２を開口する動作と連動して上記リミットスイッチ１５を閉路（ＯＮ）し、それによって上記駆動モーター１４及び上記ポンプ２３を始動させる。
【００２５】
このような消防員の消火用ノズル２９の把持及び支持枠２８からの上記消火ホース３の引出しと上記ハンドル１１の逆回動による上記常閉口２の開口及び上記リミットスイッチ１５の閉路（ＯＮ）による上記ポンプ２３の始動による圧力水の上記放水ノズル５及び上記消火ホース３への送水が１人の消防員によって行われ、消火現場において消火ホース３の先端の消火用ノズル２９のノズルコック２９’の操作によって消火作業を行うことができる。
【００２６】
尤も上記常閉口２の開口による圧力水の送水は開口の瞬間（ポンプ２３の始動に至るまで）は建物２１の屋上に設置された水槽２４’内の水圧が常時常閉口２の閉塞弁８に掛けられているから常閉口２の開口と同時に（ポンプ２３の始動を待つまでもなく）圧力水は放水ノズル５から放出される。
【００２７】
又上記ボス部１０のリミットスイッチ１５に代り、図４（イ）（ロ）（ハ）図及び図５（イ）（ロ）図に示す圧力水流入シリンダー２７内に圧力水の一部が圧入され、ピストン２７’及びスピンドル２７”を発条２７ａに抗して押圧摺動させることによりｂ接点リミットスイッチ１５を閉路（ＯＮ）し、上記ポンプ２３を始動することができる。
【００２８】
消火ホース３による上記放水作業が終了すると、上記ハンドル１１を手動により正回動することによって弁８によって常閉口２が閉じられ、これに連動する上記リミットスイッチ１５が開路（ＯＦＦ）して上記消火作業を終了することができる。
【００２９】
尚図３（ロ）図中１５’は上記ポンプ駆動用モーター１４の閉路（ＯＮ）用の既設の自己保持形押ボタン（切換後は廃止される）、２８’は既設消火栓１２’の収納函、図６中２２’はポンプ２３による圧力水阻止用逆止弁、２４”はポンプ２３への迎え水水槽である。
【００３０】
【発明の効果】
本発明は上述の方法及び装置によったので、
既設の２人操作用１号消火栓の弁函を取外す必要がなく、配管内圧力水を落す必要もなく１人操作用即ち易操作性１号消火栓に簡便迅速に切換え得る効果がある。
【００３１】
そして既設の弁函の放水ノズルに接続金具の係合金具を容易に係合させえるばかりでなく、
上記弁函に設けた正逆回動用ハンドルを逆回動するだけでポンプ駆動モーター閉路用リミットスイッチを閉路（ＯＮ）し得て１人操作により安全迅速に消火作業を行うことができる。
【図面の簡単な説明】
【図１】（イ）図はポンプ駆動モーター閉路用リミットスイッチを装着した弁函の切欠正面図である。
（ロ）図は接続金具の一部切欠正面図である。
【図２】（イ）図は接続金具の他例の一部切欠正面図である。
（ロ）図は（イ）図Ａ−Ａ線による平面図である。
【図３】（イ）図は易操作性消火栓の配置状態の正面図である。
（ロ）図は既設消火栓の配置状態の正面図である。
【図４】（イ）図は接続金具にポンプ駆動モーター閉路用リミットスイッチを設けた状態の一部切欠正面図である。
（ロ）図は（イ）図Ｂ−Ｂ線による右側面図である。
（ハ）図は（イ）図のリミットスイッチの他の実施例の一部拡大切欠正面図である。
【図５】（イ）（ロ）図は図４（イ）図に示すリミットスイッチの他の実施例の切欠正面図である。
【図６】高層建物の消火栓配管状態の説明図である。
【図７】図３（ロ）図に示す従来形の消火栓の弁函の正面図である。
【符号の説明】
１　　　配管
２　　　圧力水常閉口
３　　　消火用ホース
４　　　取付金具
５　　　放水ノズル
６　　　弁函
７　　　弁座
８　　　弁
９　　　スピンドル
９’　　延長端部
１０　　　ボス部
１１　　　正逆回動用ハンドル
１２　　　消火栓
１３　　　接続金具
１３’　　頭部
１４　　　ポンプ駆動モーター
１５　　　閉路用リミットスイッチ
１６，１６’　上下凹段
１７　　　環状溝
１８　　　短管
１８’　　フランジ
１９　　　係合金具
１９’　　内面
２０　　　動作用環状カム
【図１】
2004097291.tif 000003
【図２】
2004097291.tif 000004
【図３】
2004097291.tif 000005
【図４】
2004097291.tif 000006
【図５】
2004097291.tif 000007
【図６】
2004097291.tif 000008
【図７】
2004097291.tif 000009